(57)【要約】【課題】  ＨＳＤＰＡ方式と音声呼等とが同一セル内に混在する環境において無線リソースの有効利用を図ることが可能な移動通信システムを提供する。【解決手段】  基地局装置３配下には、同一セクタ内にＨＳＤＰＡ対応セル３１と異周波のＨＳＤＰＡ未サポートセル３２とが配置されている。移動局４はＨＳＤＰＡ未サポートセル３１のＨＣＳ＿ＰＲＩＯの値を高く設定し、ＲＲＣコネクションリクエストをＨＳＤＰＡ未サポートセル３１へ送信する。基地局制御装置２ではＲＲＣコネクションリクエストを受信すると、ＨＳＤＰＡ対応の移動局かどうかの判定を行い、ＨＳＤＰＡ対応の移動局であれば、異周波のＨＳＤＰＡ対応のセルでＨＳＤＰＡの確立を行う。【選択図】      図１
2006229384.tif 000002
【特許請求の範囲】
【請求項１】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）対応の第１のセルと、前記第１のセルと同一セクタの異周波に設けられたＨＳＤＰＡ未サポートの第２のセルとが配置された基地局装置と、
前記基地局装置を介して受信する移動局からのＲＲＣ（Ｒａｄｉｏ  Ｒｅｓｏｕｒｃｅ  Ｃｏｎｔｒｏｌ）コネクションリクエストを検証して当該移動局が前記ＨＳＤＰＡ対応の移動局かどうかを判定する判定手段と、前記ＨＳＤＰＡ対応の移動局と判定した時に前記第１のセルでＨＳＤＰＡの確立を行う手段とを含む基地局制御装置とからなることを特徴とする移動通信システム。
【請求項２】
前記移動局が、前記第２のセルのＨＣＳ  ＰＲＩＯ（Ｈｉｅｒａｒｃｈｉｃａｌ  Ｃｅｌｌ  Ｓｔｒｕｃｔｕｒｅ  Ｐｒｉｏｒｉｔｙ）の値を高く設定することを特徴とする請求項１記載の移動通信システム。
【請求項３】
前記判定手段は、前記移動局の現在のセルが前記ＨＳＤＰＡ未サポートセルで、前記ＨＳＤＰＡ対応セルが異周波の隣接セルにあり、前記ＲＲＣコネクションリクエスト内の「Ａｃｃｅｓｓ  ｓｔｒａｔｕｍ  ｒｅｌｅａｓｅ  ｉｎｄｉｃａｔｏｒ」がＲＥＬ−５に設定され、前記ＲＲＣコネクションリクエスト内の「Ｅｓｔａｂｌｉｓｈｍｅｎｔ  ｃａｕｓｅ」の値が“Ｏｒｉｇｉｎａｔｉｎｇ  Ｉｎｔｅｒａｃｔｉｖｅ  Ｃａｌｌ”か、“Ｏｒｉｇｉｎａｔｉｎｇ  Ｂａｃｋｇｒｏｕｎｄ  Ｃａｌｌ”か、“Ｔｅｒｍｉｎａｔｉｎｇ  Ｉｎｔｅｒａｃｔｉｖｅ  Ｃａｌｌ”か、“Ｔｅｒｍｉｎａｔｉｎｇ  Ｂａｃｋｇｒｏｕｎｄ  Ｃａｌｌ”かのいずれかである場合に前記ＨＳＤＰＡを実行可能な移動局と判断することを特徴とする請求項１または請求項２記載の移動通信システム。
【請求項４】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）対応の第１のセルと、前記第１のセルと同一セクタの異周波に設けられたＨＳＤＰＡ未サポートの第２のセルとが配置された基地局装置を介して受信する移動局からのＲＲＣ（Ｒａｄｉｏ  Ｒｅｓｏｕｒｃｅ  Ｃｏｎｔｒｏｌ）コネクションリクエストを検証して当該移動局が前記ＨＳＤＰＡ対応の移動局かどうかを判定する判定手段と、前記ＨＳＤＰＡ対応の移動局と判定した時に前記第１のセルでＨＳＤＰＡの確立を行う手段とを有することを特徴とする基地局制御装置。
【請求項５】
前記移動局が、前記第２のセルのＨＣＳ  ＰＲＩＯ（Ｈｉｅｒａｒｃｈｉｃａｌ  Ｃｅｌｌ  Ｓｔｒｕｃｔｕｒｅ  Ｐｒｉｏｒｉｔｙ）の値を高く設定することを特徴とする請求項４記載の基地局制御装置。
【請求項６】
前記判定手段は、前記移動局の現在のセルが前記ＨＳＤＰＡ未サポートセルで、前記ＨＳＤＰＡ対応セルが異周波の隣接セルにあり、前記ＲＲＣコネクションリクエスト内の「Ａｃｃｅｓｓ  ｓｔｒａｔｕｍ  ｒｅｌｅａｓｅ  ｉｎｄｉｃａｔｏｒ」がＲＥＬ−５に設定され、前記ＲＲＣコネクションリクエスト内の「Ｅｓｔａｂｌｉｓｈｍｅｎｔ  ｃａｕｓｅ」の値が“Ｏｒｉｇｉｎａｔｉｎｇ  Ｉｎｔｅｒａｃｔｉｖｅ  Ｃａｌｌ”か、“Ｏｒｉｇｉｎａｔｉｎｇ  Ｂａｃｋｇｒｏｕｎｄ  Ｃａｌｌ”か、“Ｔｅｒｍｉｎａｔｉｎｇ  Ｉｎｔｅｒａｃｔｉｖｅ  Ｃａｌｌ”か、“Ｔｅｒｍｉｎａｔｉｎｇ  Ｂａｃｋｇｒｏｕｎｄ  Ｃａｌｌ”かのいずれかである場合に前記ＨＳＤＰＡを実行可能な移動局と判断することを特徴とする請求項４または請求項５記載の基地局制御装置。
【請求項７】
基地局制御装置が、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）対応の第１のセルと、前記第１のセルと同一セクタの異周波に設けられたＨＳＤＰＡ未サポートの第２のセルとが配置された基地局装置を介して受信する移動局からのＲＲＣ（Ｒａｄｉｏ  Ｒｅｓｏｕｒｃｅ  Ｃｏｎｔｒｏｌ）コネクションリクエストを検証して当該移動局が前記ＨＳＤＰＡ対応の移動局かどうかを判定する処理と、前記ＨＳＤＰＡ対応の移動局と判定した時に前記第１のセルでＨＳＤＰＡの確立を行う処理とを実行することを特徴とする移動局差別化方法。
【請求項８】
前記移動局が、前記第２のセルのＨＣＳ  ＰＲＩＯ（Ｈｉｅｒａｒｃｈｉｃａｌ  Ｃｅｌｌ  Ｓｔｒｕｃｔｕｒｅ  Ｐｒｉｏｒｉｔｙ）の値を高く設定することを特徴とする請求項７記載の移動局差別化方法。
【請求項９】
前記ＨＳＤＰＡ対応の移動局かどうかを判定する処理は、前記移動局の現在のセルが前記ＨＳＤＰＡ未サポートセルで、前記ＨＳＤＰＡ対応セルが異周波の隣接セルにあり、前記ＲＲＣコネクションリクエスト内の「Ａｃｃｅｓｓ  ｓｔｒａｔｕｍ  ｒｅｌｅａｓｅ  ｉｎｄｉｃａｔｏｒ」がＲＥＬ−５に設定され、前記ＲＲＣコネクションリクエスト内の「Ｅｓｔａｂｌｉｓｈｍｅｎｔ  ｃａｕｓｅ」の値が“Ｏｒｉｇｉｎａｔｉｎｇ  Ｉｎｔｅｒａｃｔｉｖｅ  Ｃａｌｌ”か、“Ｏｒｉｇｉｎａｔｉｎｇ  Ｂａｃｋｇｒｏｕｎｄ  Ｃａｌｌ”か、“Ｔｅｒｍｉｎａｔｉｎｇ  Ｉｎｔｅｒａｃｔｉｖｅ  Ｃａｌｌ”か、“Ｔｅｒｍｉｎａｔｉｎｇ  Ｂａｃｋｇｒｏｕｎｄ  Ｃａｌｌ”かのいずれかである場合に前記ＨＳＤＰＡを実行可能な移動局と判断することを特徴とする請求項７または請求項８記載の移動局差別化方法。
【請求項１０】
基地局制御装置のコンピュータに、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）対応の第１のセルと、前記第１のセルと同一セクタの異周波に設けられたＨＳＤＰＡ未サポートの第２のセルとが配置された基地局装置を介して受信する移動局からのＲＲＣ（Ｒａｄｉｏ  Ｒｅｓｏｕｒｃｅ  Ｃｏｎｔｒｏｌ）コネクションリクエストを検証して当該移動局が前記ＨＳＤＰＡ対応の移動局かどうかを判定する処理と、前記ＨＳＤＰＡ対応の移動局と判定した時に前記第１のセルでＨＳＤＰＡの確立を行う処理とを実行させるためのプログラム。
【発明の詳細な説明】
【技術分野】
【０００１】
本発明は移動通信システム、基地局制御装置及びそれらに用いる移動局差別化方法並びにそのプログラムに関し、特にＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ  ２０００）システムでのＲｅｌｅａｓｅ５対応の移動局（ＵＥ：Ｕｓｅｒ  Ｅｑｕｉｐｍｅｎｔ）とＲｅｌｅａｓｅ９９対応の移動局との差別化に関する。
【背景技術】
【０００２】
ＩＭＴ−２０００システムでは、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式での高速パケット通信が可能なＲｅｌｅａｓｅ５対応の移動局と、ＨＳＤＰＡ方式での高速パケット通信に未対応のＲｅｌｅａｓｅ９９対応の移動局とが混在する状況が考えられる。尚、上記以外にも、複数の移動通信方式が混在する状況も考えられる（例えば、特許文献１参照）
【０００３】
ここで、ＨＳＤＰＡ方式とは、８Ｍｂｐｓの下り高速パケット伝送を実現する方式であり。ＨＳ−ＤＳＣＨ（Ｈｉｇｈ  Ｓｐｅｅｄ−Ｄｏｗｎｌｉｎｋ  Ｓｈａｒｅｄ  Ｃｈａｎｎｅｌ）というチャネル（Ｃｈａｎｎｅｌ）を下りのトランスポートチャネル（Ｔｒａｎｓｐｏｒｔ  Ｃｈａｎｎｅｌ）として使用している。
【０００４】
【特許文献１】特表２００４−５３３１４８号公報
【発明の開示】
【発明が解決しようとする課題】
【０００５】
上述した従来の移動通信システムでは、ＨＳＤＰＡ方式の場合、高速パケット伝送を実現することができる反面、音声呼で使用されるトランスポートのＤｅｄｉｃａｔｅｄ  Ｃｈａｎｎｅｌよりも多くの無線リソースを必要とする。そのため、同一セル内に複数の音声呼等がすでに確立された状態では、無線リソース不足のため、ＨＳＤＰＡ方式でパケット伝送することができないという問題が発生することが考えられる。
【０００６】
つまり、従来の移動通信システムでは、上記のような環境の下において、ＨＳＤＰＡ方式と音声呼等とが同一セル内に混在するため、音声呼に比べて、多くの無線リソースを必要とするＨＳＤＰＡ方式が無線リソース不足によって確立することができない問題が発生する。上記の特許文献１では、単にセル選択について記載されているだけであるので、この問題を解決することはできない。
【０００７】
そこで、本発明の目的は上記の問題点を解消し、ＨＳＤＰＡ方式と音声呼等とが同一セル内に混在する環境において無線リソースの有効利用を図ることができる移動通信システム、基地局制御装置及びそれらに用いる移動局差別化方法並びにそのプログラムを提供することにある。
【課題を解決するための手段】
【０００８】
本発明による移動通信システムは、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）対応の第１のセルと、前記第１のセルと同一セクタの異周波に設けられたＨＳＤＰＡ未サポートの第２のセルとが配置された基地局装置と、
前記基地局装置を介して受信する移動局からのＲＲＣ（Ｒａｄｉｏ  Ｒｅｓｏｕｒｃｅ  Ｃｏｎｔｒｏｌ）コネクションリクエストを検証して当該移動局が前記ＨＳＤＰＡ対応の移動局かどうかを判定する判定手段と、前記ＨＳＤＰＡ対応の移動局と判定した時に前記第１のセルでＨＳＤＰＡの確立を行う手段とを含む基地局制御装置とからなっている。
【０００９】
本発明による基地局制御装置は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）対応の第１のセルと、前記第１のセルと同一セクタの異周波に設けられたＨＳＤＰＡ未サポートの第２のセルとが配置された基地局装置を介して受信する移動局からのＲＲＣ（Ｒａｄｉｏ  Ｒｅｓｏｕｒｃｅ  Ｃｏｎｔｒｏｌ）コネクションリクエストを検証して当該移動局が前記ＨＳＤＰＡ対応の移動局かどうかを判定する判定手段と、前記ＨＳＤＰＡ対応の移動局と判定した時に前記第１のセルでＨＳＤＰＡの確立を行う手段とを備えている。
【００１０】
本発明による移動局差別化方法は、基地局制御装置が、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）対応の第１のセルと、前記第１のセルと同一セクタの異周波に設けられたＨＳＤＰＡ未サポートの第２のセルとが配置された基地局装置を介して受信する移動局からのＲＲＣ（Ｒａｄｉｏ  Ｒｅｓｏｕｒｃｅ  Ｃｏｎｔｒｏｌ）コネクションリクエストを検証して当該移動局が前記ＨＳＤＰＡ対応の移動局かどうかを判定する処理と、前記ＨＳＤＰＡ対応の移動局と判定した時に前記第１のセルでＨＳＤＰＡの確立を行う処理とを実行している。
【００１１】
本発明による移動局差別化方法のプログラムは、基地局制御装置のコンピュータに、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）対応の第１のセルと、前記第１のセルと同一セクタの異周波に設けられたＨＳＤＰＡ未サポートの第２のセルとが配置された基地局装置を介して受信する移動局からのＲＲＣ（Ｒａｄｉｏ  Ｒｅｓｏｕｒｃｅ  Ｃｏｎｔｒｏｌ）コネクションリクエストを検証して当該移動局が前記ＨＳＤＰＡ対応の移動局かどうかを判定する処理と、前記ＨＳＤＰＡ対応の移動局と判定した時に前記第１のセルでＨＳＤＰＡの確立を行う処理とを実行させている。
【００１２】
すなわち、本発明の移動通信システムは、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ  ２０００）システムにおいて、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式での高速パケット通信が可能なＲｅｌｅａｓｅ５対応の移動局（ＵＥ：Ｕｓｅｒ  Ｅｑｕｉｐｍｅｎｔ）と、ＨＳＤＰＡ方式での高速パケット通信に未対応のＲｅｌｅａｓｅ９９対応の移動局とが混在する環境の下で、無線リソースの有効利用を図ることを特徴としている。
【００１３】
本発明の移動通信システムでは、基地局制御装置（Ｒａｄｉｏ  Ｎｅｔｗｏｒｋ  Ｃｏｎｔｒｏｌｌｅｒ：ＲＮＣ）において、Ｒｅｌｅａｓｅ５対応の移動局とＲｅｌｅａｓｅ９９対応の移動局の差別化を行い、より多くのＨＳＤＰＡ（Ｈｉｇｈ  Ｓｐｅｅｄ  Ｄｏｗｎｌｉｎｋ  Ｐａｃｋｅｔ  Ａｃｃｅｓｓ）呼を確立するための方法を実現している。
【００１４】
つまり、本発明の移動通信システムでは、ＨＳＤＰＡ対応のセルと同一セクタの異周波にＨＳＤＰＡ未サポートのセルを配置した環境下で、ＨＳＤＰＡ未サポートのセルのＨＣＳ  ＰＲＩＯ  ＩＥ（Ｈｉｅｒａｒｃｈｉｃａｌ  Ｃｅｌｌ  Ｓｔｒｕｃｔｕｒｅ  Ｐｒｉｏｒｉｔｙ  Ｉｎｆｏｒｍａｔｉｏｎ  Ｅｌｅｍｅｎｔ）を高く設定する。これによって、移動局はＲＲＣ（Ｒａｄｉｏ  Ｒｅｓｏｕｒｃｅ  Ｃｏｎｔｒｏｌ）コネクションリクエスト（Ｃｏｎｎｅｃｔｉｏｎ  Ｒｅｑｕｅｓｔ）をＨＳＤＰＡ未サポートのセルへ送信するようになる。
【００１５】
基地局制御装置ではＲＲＣコネクションリクエストを受信すると、ＨＳＤＰＡ対応の移動局かどうかの判定を行い、ＨＳＤＰＡ対応の移動局であれば、異周波のＨＳＤＰＡ対応のセルでＨＳＤＰＡの確立を行う。この結果、ＨＳＤＰＡ対応のセルの無線リソースをＲｅｌｅａｓｅ９９対応の移動局（ＨＳＤＰＡ未対応の移動局）へ割り当てることを減少させ、無線リソースの有効利用を図ることが可能となる。したがって、基地局制御装置においては、Ｒｅｌｅａｓｅ５対応の移動局とＲｅｌｅａｓｅ９９対応の移動局との差別化が可能となり、ＨＳＤＰＡ対応のセルでのＨＳＤＰＡ確立個数を増やすことが可能となる。
【発明の効果】
【００１６】
本発明は、以下のような構成及び動作とすることで、Ｒｅｌｅａｓｅ５対応の移動局とＲｅｌｅａｓｅ９９対応の移動局との差別化を行うことができ、無線リソースの有効利用を図ることができるという効果が得られる。
【発明を実施するための最良の形態】
【００１７】
次に、本発明の実施例について図面を参照して説明する。図１は本発明の一実施例による移動通信システムの構成を示すブロック図である。図１において、本発明の一実施例による移動通信システムは移動交換網（図示せず）の交換動作を行う移動交換局（ＣＮ：Ｃｏｒｅ  Ｎｅｔｗｏｒｋ）１と、基地局装置（Ｎｏｄｅ−Ｂ）３と、基地局装置３を制御する基地局制御装置（ＲＮＣ：Ｒａｄｉｏ  Ｎｅｔｗｏｒｋ  Ｃｏｎｔｒｏｌｌｅｒ）２と、移動局（ＵＥ：Ｕｓｅｒ  Ｅｑｕｉｐｍｅｎｔ）４とから構成されている。
【００１８】
基地局装置３にはＨＳＤＰＡ（Ｈｉｇｈ  Ｓｐｅｅｄ  Ｄｏｗｎｌｉｎｋ  Ｐａｃｋｅｔ  Ａｃｃｅｓｓ）対応のＨＳＤＰＡ対応セル３１と、ＨＳＤＰＡ対応セル３１と同一セクタの異周波に設けられたＨＳＤＰＡ未サポートのＨＳＤＰＡ未サポートセル３２とが配置されている。
【００１９】
図２は図１の基地局制御装置２の構成を示すブロック図である。図２において、基地局制御装置２は装置内の各部を制御するＣＰＵ（中央処理装置）２１と、ＣＰＵ２１が実行する制御プログラム２２ａを格納するメインメモリ２２と、移動局差別化判定情報を記憶する移動局差別化判定情報保持部２３１を備えた記憶装置２３と、基地局装置３側との通信を制御する基地局側通信制御部２４と、移動交換局１側との通信を制御する移動交換局側通信制御部２５とから構成されている。尚、基地局制御装置２内において、ＣＰＵ２１と、メインメモリ２２と、記憶装置２３と、基地局側通信制御部２４と、移動交換局側通信制御部２５とは内部バス２１０にて互いに接続されている。
【００２０】
図３は図１の移動局４の構成を示すブロック図である。図３において、移動局４は装置内の各部を制御するＣＰＵ（中央処理装置）４１と、ＣＰＵ４１が実行する制御プログラム４２ａを格納するメインメモリ４２と、パラメータ設定情報を記憶するパラメータ設定情報保持部４３１を備えた記憶装置４３と、基地局装置３との間の無線通信を制御する無線通信制御部４４とから構成されている。尚、移動局４内において、ＣＰＵ４１と、メインメモリ４２と、記憶装置４３と、無線通信制御部４４とは内部バス４１０にて互いに接続されている。
【００２１】
図４は本発明の一実施例で用いるＲＲＣ（Ｒａｄｉｏ  Ｒｅｓｏｕｒｃｅ  Ｃｏｎｔｒｏｌ）コネクションリクエスト（Ｃｏｎｎｅｃｔｉｏｎ  Ｒｅｑｕｅｓｔ）のフォーマット例を示す図である。図４において、ＲＲＣコネクションリクエストは「Ｍｅｓｓａｇｅ  Ｔｙｐｅ」、「Ｒａｄｉｏ  Ｂｅａｒｅｒ  ＩＥｓ」、「Ｐｒｅｄｅｆｉｎｅｄ  Ｃｏｎｆｉｇｕｒａｔｉｏｎ  Ｓｔａｔｕｓ  ｉｎｆｏｒｍａｔｉｏｎ」、「ＵＥ  ｉｎｆｏｒｍａｔｉｏｎ  ｅｌｅｍｅｎｔｓ」、「Ｉｎｉｔｉａｌ  ＵＥ  ｉｄｅｎｔｉｔｙ」、「Ｅｓｔａｂｌｉｓｈｍｅｎｔ  ｃａｕｓｅ」、「Ｐｒｏｔｏｃｏｌ  ｅｒｒｏｒ  ｉｎｄｉｃａｔｏｒ」、「Ｍｅａｓｕｒｅｍｅｎｔ  ｉｎｆｏｒｍａｔｉｏｎ  ｅｌｅｍｅｎｔｓ」、「Ａｃｃｅｓｓ  ｓｔｒａｔｕｍ  ｒｅｌｅａｓｅ  ｉｎｄｉｃａｔｏｒ」とを含んで構成されている。
【００２２】
図５は図１の移動局４によるパラメータ設定処理を示すフローチャートであり、図６は図１の基地局制御装置２による移動局差別化処理を示すフローチャートである。これら図１〜図６を参照して本発明の一実施例による移動通信システムの動作について説明する。尚、図５に示す処理は移動局４のＣＰＵ４１が制御プログラム４２ａを実行することで実現され、図６に示すＨＳＤＰＡ方式での高速パケット通信が可能なＲｅｌｅａｓｅ５対応の移動局と、ＨＳＤＰＡ方式での高速パケット通信に未対応のＲｅｌｅａｓｅ９９対応の移動局との差別化処理は基地局制御装置２のＣＰＵ２１が制御プログラム２２ａを実行することで実現される。
【００２３】
本実施例では、まず、セルの配置とパラメータの設定とについて説明する。本実施例では、基地局装置３配下の同一セクタ内にＨＳＤＰＡ対応セル３１と異周波のＨＳＤＰＡ未サポートセル３２とを配置している。これらセルの報知情報（ＳＩＢ：Ｓｙｓｔｅｍ  Ｉｎｆｏｒｍａｔｉｏｎ  Ｂｌｏｃｋ）に設定されるＨＣＳ＿ＰＲＩＯ（Ｈｉｅｒａｒｃｈｉｃａｌ  Ｃｅｌｌ  Ｓｔｒｕｃｔｕｒｅ＿Ｐｒｉｏｒｉｔｙ）の値によって、移動局４はＲＲＣコネクションリクエストを送信するセルを決定するため、以下のようにパラメータを設定する。
【００２４】
但し、ＨＣＳ＿ＰＲＩＯのレンジは「０−７」であり、デフォルトは「０」、大きい数字ほど優先度が高くなる。尚、この点については、“Ｕｓｅｒ  Ｅｑｕｉｐｍｅｎｔ（ＵＥ）  ｐｒｏｃｅｄｕｒｅｓ  ｉｎ  ｉｄｌｅ  ｍｏｄｅ  ａｎｄ  ｐｒｏｃｅｄｕｒｅｓ  ｆｏｒ  ｃｅｌｌ  ｒｅｓｅｌｅｃｔｉｏｎ  ｉｎ  ｃｏｎｎｅｃｔｅｄ  ｍｏｄｅ，５．２．６  Ｃｅｌｌ  Ｒｅｓｅｌｅｃｔｉｏｎ  Ｅｖａｌｕａｔｉｏｎ  Ｐｒｏｃｅｓｓ”（３ＧＰＰ  ＴＳ２５．３０４  Ｖ６．４．０（２００４−１２））に記載されている。
【００２５】
移動局４はＨＳＤＰＡ対応セル３１の設定を行う際に、自セルのＨＣＳ＿ＰＲＩＯと隣接セルのＨＣＳ＿ＰＲＩＯとを設定する場合（図５ステップＳ１）、隣接セルのＨＣＳ＿ＰＲＩＯの値を大きく設定する（図５ステップＳ２）。
【００２６】
また、移動局４はＨＳＤＰＡ対応セルの設定を行う際に、隣接セルのＨＣＳ＿ＰＲＩＯのみを設定する場合（図５ステップＳ１）、自セルのＨＣＳ＿ＰＲＩＯが「０（優先度最低）」となるので、隣接セルのＨＣＳ＿ＰＲＩＯに「１−７」を設定する（図５ステップＳ３）。
【００２７】
さらに、移動局４はＨＳＤＰＡ対応セルの設定を行う際に、自セルのＨＣＳ＿ＰＲＩＯのみを設定する場合（図５ステップＳ１）、隣接セルのＨＣＳ＿ＰＲＩＯが「０（優先度最低）」となり、常に自セルが選択されるため、本設定が不可となる（図５ステップＳ４）。
【００２８】
移動局４はＨＳＤＰＡ未サポートセル３２の設定を行う際に（図５ステップＳ１）、自セルのＨＣＳ＿ＰＲＩＯと隣接セルのＨＣＳ＿ＰＲＩＯとを設定する場合（図５ステップＳ５）、自セルのＨＣＳ＿ＰＲＩＯの値を大きく設定する（図５ステップＳ６）。
【００２９】
また、移動局４は隣接セルのＨＣＳ＿ＰＲＩＯのみを設定する場合（図５ステップＳ５）、自セルのＨＣＳ＿ＰＲＩＯが「０（優先度最低）」となるため、隣接セルのＨＣＳ＿ＰＲＩＯに「０」しか設定できない（図５ステップＳ７）。
【００３０】
さらに、移動局４は自セルのＨＣＳ＿ＰＲＩＯのみを設定する場合（図５ステップＳ５）、隣接セルのＨＣＳ＿ＰＲＩＯが「０（優先度最低）」となるため、何を設定しても自セルが選択されることとなるため、「０−７」が設定可能となる（図５ステップＳ８）。以上のパラメータは移動局４のパラメータ設定情報保持部４３１に記憶される。
【００３１】
次に、基地局制御装置２におけるＲＲＣコネクションリクエスト受信時におけるＲｅｌｅａｓｅ５対応の移動局とＲｅｌｅａｓｅ９９対応の移動局との差別化について説明する。
【００３２】
基地局制御装置２は受信したＲＲＣコネクションリクエストを移動局差別化判定情報保持部２３１内の情報を基にチェックし（図６ステップＳ１１）、以下の条件を満たす移動局を、ＨＳＤＰＡを実行可能な移動局と判断し（図６ステップＳ１６）、さらに自セルがＨＳＤＰＡ未サポートセル３２であること（図６ステップＳ１２）、及びＨＳＤＰＡ対応セル３１が異周波の隣接セルにある場合に（図６ステップＳ１３）、ＨＳＤＰＡ対応セル３１にてＨＳＤＰＡの確立を行う。
【００３３】
上記の条件としては、ＲＲＣコネクションリクエスト内の「Ａｃｃｅｓｓ  ｓｔｒａｔｕｍ  ｒｅｌｅａｓｅ  ｉｎｄｉｃａｔｏｒ」がＲＥＬ−５（Ｒｅｌｅａｓｅ５）に設定されていること（図６ステップＳ１４）、ＲＲＣコネクションリクエスト内の「Ｅｓｔａｂｌｉｓｈｍｅｎｔ  ｃａｕｓｅ」の値が、“Ｏｒｉｇｉｎａｔｉｎｇ  Ｉｎｔｅｒａｃｔｉｖｅ  Ｃａｌｌ”か、“Ｏｒｉｇｉｎａｔｉｎｇ  Ｂａｃｋｇｒｏｕｎｄ  Ｃａｌｌ”か、“Ｔｅｒｍｉｎａｔｉｎｇ  Ｉｎｔｅｒａｃｔｉｖｅ  Ｃａｌｌ”か、“Ｔｅｒｍｉｎａｔｉｎｇ  Ｂａｃｋｇｒｏｕｎｄ  Ｃａｌｌ”かのいずれかであること（図６ステップＳ１５）がある。
【００３４】
このように、本実施例によれば、基地局制御装置２においてＲｅｌｅａｓｅ５対応の移動局と、Ｒｅｌｅａｓｅ９９対応の移動局との差別化を行うことによって、ＨＳＤＰＡ方式と音声呼等とが同一セル内に混在する環境において無線リソースの有効利用を図ることができる。
【図面の簡単な説明】
【００３５】
【図１】本発明の一実施例による移動通信システムの構成を示すブロック図である。
【図２】図１の基地局制御装置の構成を示すブロック図である。
【図３】図１の移動局の構成を示すブロック図である。
【図４】本発明の一実施例で用いるＲＲＣコネクションリクエストのフォーマット例を示す図である。
【図５】図１の移動局によるパラメータ設定処理を示すフローチャートである。
【図６】図１の基地局制御装置による移動局差別化処理を示すフローチャートである。
【符号の説明】
【００３６】
１  移動交換局
２  基地局制御装置
３  基地局装置
４  移動局
２１，４１  ＣＰＵ
２２，４２  メインメモリ
２２ａ，４２ａ  制御プログラム
２３，４３  記憶装置
２４  基地局側通信制御部
２５  移動交換局側通信制御部
３１  ＨＳＤＰＡ対応セル
３２  ＨＳＤＰＡ未サポートセル
４４  無線通信制御部
２１０，４１０  内部バス
２３１  移動局差別化判定情報保持部
４３１  パラメータ設定情報保持部
【図１】
2006229384.tif 000003
【図２】
2006229384.tif 000004
【図３】
2006229384.tif 000005
【図４】
2006229384.tif 000006
【図５】
2006229384.tif 000007
【図６】
2006229384.tif 000008